(57)【要約】【課題】ノイズフィルタを付加することなく発生ノイズを低減できるチャージポンプ型昇圧回路を提供する。【解決手段】駆動回路６は、コンデンサＣ１の他端子に電圧ＶＢを印加するとともにコンデンサＣ２の他端子に電圧ＧＮＤを印加する第１の状態と、コンデンサＣ１の他端子に電圧ＧＮＤを印加するとともにコンデンサＣ２の他端子に電圧ＶＢを印加する第２の状態とを交互に切り換える。この際、入力端子２を介して供給されるコンデンサＣ１、Ｃ２に対する充放電電流のピーク値を第１の状態と第２の状態とで揃えるように構成する。【選択図】図１
2010130718.tif 000002
【特許請求の範囲】
【請求項１】
電圧入力端子と電圧出力端子との間に直列に接続された複数のスイッチング素子と、
前記スイッチング素子同士が接続された各接続点に対しそれぞれ一端子が接続された複数のコンデンサと、
前記電圧入力端子側からみて奇数段目の前記コンデンサの他端子に第１の電圧を印加するとともに偶数段目の前記コンデンサの他端子に第２の電圧を印加する第１の状態と、前記奇数段目のコンデンサの他端子に前記第２の電圧を印加するとともに前記偶数段目のコンデンサの他端子に前記第１の電圧を印加する第２の状態とを交互に切り換える駆動回路とを備え、
前記第１の状態において前記電圧入力端子を介して供給される前記コンデンサに対する充放電電流のピーク値と、前記第２の状態において前記電圧入力端子を介して供給される前記コンデンサに対する充放電電流のピーク値とを揃えることを特徴とするチャージポンプ型昇圧回路。
【請求項２】
前記第１の状態において前記充放電電流が流れる第１の電流経路のインピーダンス値と、前記第２の状態において前記充放電電流が流れる第２の電流経路のインピーダンス値との設定により、前記第１の状態および前記第２の状態のそれぞれにおける前記コンデンサに対する充放電電流のピーク値を揃えることを特徴とする請求項１記載のチャージポンプ型昇圧回路。
【請求項３】
前記駆動回路は、前記奇数段目のコンデンサの他端子と前記第１の電圧を供給する第１の電源線との間に介在する第１のスイッチ手段と、前記第１のスイッチ手段と前記第２の電圧を供給する第２の電源線との間に介在する第２のスイッチ手段と、前記偶数段目のコンデンサの他端子と前記第１の電源線との間に介在する第３のスイッチ手段と、前記第３のスイッチ手段と前記第２の電源線との間に介在する第４のスイッチ手段とを備え、前記第１の状態においては前記第１および第４のスイッチ手段をオンさせるとともに前記第２および第３のスイッチ手段をオフさせ、前記第２の状態においては前記第１および第４のスイッチ手段をオフさせるとともに前記第２および第３のスイッチ手段をオンさせる構成であり、
前記第１および第４のスイッチ手段を通して流れる各電流のピーク値の和と、前記第２および第３のスイッチ手段を通して流れる各電流のピーク値の和とを揃えることを特徴とする請求項２記載のチャージポンプ型昇圧回路。
【請求項４】
前記第１〜第４のスイッチ手段のオン状態のインピーダンスの設定により、前記第１の電流経路のインピーダンス値および前記第２の電流経路のインピーダンス値が設定されていることを特徴とする請求項３記載のチャージポンプ型昇圧回路。
【請求項５】
前記駆動回路は、前記奇数段目のコンデンサの他端子と前記第１の電源線との間に介在する第１の抵抗と、前記奇数段目のコンデンサの他端子と前記第２の電源線との間に介在する第２の抵抗と、前記偶数段目のコンデンサの他端子と前記第１の電源線との間に介在する第３の抵抗と、前記偶数段目のコンデンサの他端子と前記第２の電源線との間に介在する第４の抵抗とを備え、
前記第１〜第４の抵抗の抵抗値の設定により、前記第１の電流経路および前記第２の電流経路のインピーダンス値が設定されていることを特徴とする請求項３記載のチャージポンプ型昇圧回路。
【請求項６】
前記駆動回路は、前記奇数段目のコンデンサの他端子と前記第１のスイッチ手段および前記第２のスイッチ手段の相互接続点との間に介在し前記第１の状態と前記第２の状態とにおいて抵抗値を切替可能な第１の可変抵抗と、前記偶数段目のコンデンサの他端子と前記第３のスイッチ手段および前記第４のスイッチ手段の相互接続点との間に介在し前記第１の状態と前記第２の状態とにおいて抵抗値を切替可能な第２の可変抵抗とを備え、
前記第１の可変抵抗および前記第２の可変抵抗の前記第１の状態における抵抗値の設定により前記第１の電流経路のインピーダンス値が設定され、
前記第１の可変抵抗および前記第２の可変抵抗の前記第２の状態における抵抗値の設定により前記第２の電流経路のインピーダンス値が設定されていることを特徴とする請求項３記載のチャージポンプ型昇圧回路。
【請求項７】
前記各スイッチング素子と前記各コンデンサの一端子との間に介在する複数の抵抗を備え、
前記複数の抵抗の各抵抗値の設定により、前記第１の電流経路および前記第２の電流経路のインピーダンス値が設定されていることを特徴とする請求項３記載のチャージポンプ型昇圧回路。
【発明の詳細な説明】
【技術分野】
【０００１】
本発明は、チャージポンプ回路を用いたチャージポンプ型昇圧回路に関する。
【背景技術】
【０００２】
チャージポンプ回路は、特許文献１に示されているように、ダイオードなどのスイッチング素子を介して複数段に設けられたコンデンサの接続状態を、例えば１００ｋHｚ程度の周波数でスイッチングすることにより、コンデンサへの電荷の充電と次段のコンデンサへの電荷の移送とを順次行って昇圧するようになっている。この昇圧動作時にコンデンサに流れる急峻な充放電電流は、チャージポンプ回路の電圧入力端子を通してノイズとなって外部に放出される。
【特許文献１】特開２００４−２４８４５３号公報
【発明の開示】
【発明が解決しようとする課題】
【０００３】
上記充放電電流によるノイズはＡＭ帯のラジオノイズとなるため、このようなチャージポンプ回路を例えば車載用の電子機器に用いる場合には深刻な問題となる。そこで、従来は、チャージポンプ回路の入力電源ラインにリアクトルやコンデンサからなるフィルタを挿入することにより、ノイズの放出を抑制していた。しかし、ノイズを有効に遮断するためにはフィルタのインダクタンスや静電容量の最適化を行う必要があり、その作業のために多大な工数が必要となってしまうという問題があった。
【０００４】
本発明は上記事情に鑑みてなされたもので、その目的は、ノイズフィルタを付加することなく発生ノイズを低減できるチャージポンプ型昇圧回路を提供することにある。
【課題を解決するための手段】
【０００５】
請求項１記載の手段によれば、駆動回路は、電圧入力端子側からみて奇数段目のコンデンサの他端子に第１の電圧を印加するとともに偶数段目のコンデンサの他端子に第２の電圧を印加する第１の状態と、奇数段目のコンデンサの他端子に第２の電圧を印加するとともに偶数段目のコンデンサの他端子に第１の電圧を印加する第２の状態とを交互に切り換える。このようにして、スイッチング素子同士の各接続点に接続された各コンデンサの他端子に第１の電圧と第２の電圧とが交互に印加されることで各コンデンサへの電荷の充電と次段のコンデンサへの電荷の移送が順次行われ、チャージポンプ方式による昇圧が行われる。
【０００６】
この際、電圧入力端子を介して供給されるコンデンサに対する充放電電流の変動がノイズとなって外部に放出される。従って、この充放電電流の変動が大きいほどノイズのレベルも大きくなる。そこで、本手段では、上記充放電電流の第１の状態でのピーク値と、第２の状態でのピーク値とを揃えるように構成した。このような構成により、交互に繰り返される第１の状態と第２の状態とで上記充放電電流が大きく変動することが抑制され、外部に放出されるノイズが低減される。
【０００７】
請求項２記載の手段によれば、第１の状態において充放電電流が流れる第１の電流経路のインピーダンス値と、第２の状態において充放電電流が流れる第２の電流経路のインピーダンス値との設定により、各状態での充放電電流のピーク値を揃えるようにした。このようにすれば、充放電電流の大きさを調整するための回路、例えば定電流源や電流制限回路を設ける必要がなくなり、回路構成を簡単化できる。
【０００８】
請求項３記載の手段によれば、駆動回路は、第１〜第４のスイッチ手段のオンオフを切り換えることにより、第１の状態と第２の状態とを切り換える構成とした。この構成の場合、第１の状態での充放電電流は第１および第４のスイッチ手段を通して流れる各電流の和に相当し、第２の状態での充放電電流は第２および第３のスイッチ手段を通して流れる各電流の和に相当する。従って、第１および第４のスイッチ手段を通して流れる各電流のピーク値の和と、第２および第３のスイッチ手段を通して流れる各電流のピーク値の和とを揃えることにより、第１の状態と第２の状態とで充放電電流が大きく変動することが抑制され、外部に放出されるノイズが低減される。
【０００９】
請求項４記載の手段によれば、第１〜第４のスイッチ手段のオン状態のインピーダンス値の設定により、第１の電流経路および第２の電流経路のインピーダンス値を設定するようにした。このようにすれば、インピーダンス値を調整するための素子を新たに設けることなく、各電流経路のインピーダンス値を設定することができる。
【００１０】
請求項５記載の手段によれば、各コンデンサの他端子と第１の電源線または第２の電源線との間に介在する第１〜第４の抵抗を設け、これら第１〜第４の抵抗の抵抗値の設定により、第１の電流経路および第２の電流経路のインピーダンス値を設定するようにした。このような構成によれば、各電流経路のインピーダンス値の設定の自由度が高くなる。また、各抵抗を抵抗値の精度が高い素子で形成すれば、各電流経路のインピーダンス値を精度よく設定することができる。
【００１１】
請求項６記載の手段によれば、奇数段目のコンデンサの他端子と第１および第２のスイッチ手段の相互接続点との間に介在する第１の可変抵抗と、偶数段目のコンデンサの他端子と第３および第４のスイッチ手段の相互接続点との間に介在する第２の可変抵抗を設け、これら第１および第２の可変抵抗の第１および第２の状態におけるそれぞれの抵抗値の設定により、第１の電流経路および第２の電流経路のインピーダンス値を設定するようにした。このような構成によれば、各電流経路のインピーダンス値の設定の自由度が高くなる。また、各可変抵抗を抵抗値の精度が高い素子で形成すれば、各電流経路のインピーダンス値を精度よく設定することができる。
【００１２】
請求項７記載の手段によれば、各スイッチング素子と各コンデンサの一端子との間に介在する複数の抵抗を設け、これら複数の抵抗の抵抗値の設定により、第１の電流経路および第２の電流経路のインピーダンス値を設定するようにした。このような構成によれば、各電流経路のインピーダンス値の設定の自由度が高くなる。また、各抵抗を抵抗値の精度が高い素子で形成すれば、各電流経路のインピーダンス値を精度よく設定することができる。
【発明を実施するための最良の形態】
【００１３】
（第１の実施形態）
以下、本発明の第１の実施形態について図１〜図３を参照しながら説明する。
図１は、チャージポンプ型の昇圧回路の電気構成を概略的に示している。昇圧回路１（チャージポンプ型昇圧回路に相当）は、例えば車両に搭載される電子制御装置においてバッテリ電圧ＶＢより高い電圧を生成するために用いられる。本実施形態では、昇圧回路１の構成のうち、後述するコンデンサＣ１、Ｃ２を除く回路部分は、図示しない制御用ＩＣの一部として構成されている。なお、コンデンサＣ１、Ｃ２を制御用ＩＣに内蔵した構成としてもよい。
【００１４】
昇圧回路１の入力端子２（電圧入力端子に相当）、入力端子３には、図示しないバッテリの正極端子、負極端子からイグニッションスイッチなどを介してバッテリ電圧ＶＢ（例えば＋１２Ｖ）が印加される。昇圧回路１の出力端子４（電圧出力端子に相当）、出力端子５には、バッテリ電圧ＶＢより高い電圧の供給を受けて動作する負荷回路や平滑用のコンデンサなど（いずれも図示せず）が接続されている。
【００１５】
入力端子２と出力端子４との間には、入力端子２側をアノードとしてダイオードＤ１、Ｄ２、Ｄ３（スイッチング素子に相当）が直列に接続されている。すなわち、ダイオードＤ１〜Ｄ３は、同一の極性で直列に接続されている。ダイオードＤ１およびＤ２の相互接続点、ダイオードＤ２およびＤ３の相互接続点をそれぞれノードＮａ、Ｎｂとすれば、これらノードＮａ、Ｎｂには、それぞれコンデンサＣ１、Ｃ２の各一端子が接続されている。コンデンサＣ１、Ｃ２の各他端子には、駆動回路６により相異なる２つの電圧ＶＢ（第１の電圧に相当）と電圧ＧＮＤ（第２の電圧に相当）が交互に与えられる。
【００１６】
入力端子２に接続される電源線７（第１の電源線に相当）と入力端子３に接続されるグランド線８（第２の電源線に相当）との間には、スイッチ回路Ｓ１とＳ２およびスイッチ回路Ｓ３とＳ４がそれぞれ直列に接続されている。スイッチ回路Ｓ１およびＳ２（第１および第２のスイッチ手段に相当）の相互接続点であるノードＮｃはコンデンサＣ１の他端子に接続され、スイッチ回路Ｓ３およびＳ４（第３および第４のスイッチ手段に相当）の相互接続点であるノードＮｄはコンデンサＣ２の他端子に接続されている。
【００１７】
これらスイッチ回路Ｓ１〜Ｓ４と、コンデンサＣ１、Ｃ２の各他端子に与える電圧を切り換えるためのパルス信号Ｓａとその反転信号であるパルス信号／Ｓａを出力する発振回路（図示せず）とから駆動回路６が構成される。スイッチ回路Ｓ１、Ｓ４はパルス信号Ｓａに従って開閉され、スイッチ回路Ｓ２、Ｓ３はパルス信号／Ｓａに従って開閉される。なお、図１では、パルス信号／Ｓａは、Ｓａの上に−を付して示している。本実施形態でのパルス信号Ｓａ、／Ｓａの周波数は、例えば１００ｋＨｚ程度である。
【００１８】
続いて、昇圧回路１の基本動作について説明する。車両のイグニッションスイッチ（図示せず）がオンされるなどして入力端子２、３間にバッテリ電圧ＶＢが印加されると、図示しない発振回路からパルス信号Ｓａ、／Ｓａが出力される。パルス信号Ｓａに基づいて開閉されるスイッチ回路Ｓ１、Ｓ４と、パルス信号／Ｓａに基づいて開閉されるスイッチ回路Ｓ２、Ｓ３とは相補的に動作する。パルス信号Ｓａ、／Ｓａが印加された後は、以下の第１の状態および第２の状態が交互に繰り返されることになる。
【００１９】
［第１の状態］
スイッチ回路Ｓ１：オン、スイッチ回路Ｓ３：オフ
スイッチ回路Ｓ２：オフ、スイッチ回路Ｓ４：オン
図１（ａ）に示すように、入力端子２から電源線７、スイッチ回路Ｓ１、コンデンサＣ１、ダイオードＤ２、コンデンサＣ２、スイッチ回路Ｓ４、グランド線８、入力端子３を介して電流Ｉ１１が流れ、コンデンサＣ１の充電電荷がダイオードＤ２を通して次段のコンデンサＣ２に移される。この過程で昇圧が行われる。本実施形態では、この電流Ｉ１１が流れる経路が第１の電流経路に相当する。
【００２０】
［第２の状態］
スイッチ回路Ｓ１：オフ、スイッチ回路Ｓ３：オン
スイッチ回路Ｓ２：オン、スイッチ回路Ｓ４：オフ
図１（ｂ）に示すように、入力端子２から電源線７、ダイオードＤ１、コンデンサＣ１、スイッチ回路Ｓ２、グランド線８、入力端子３を介して電流Ｉ２１が流れ、コンデンサＣ１が充電される。また、入力端子２から電源線７、スイッチ回路Ｓ３、コンデンサＣ２、ダイオードＤ３、出力端子４、負荷回路、出力端子５、グランド線８、入力端子３を介して電流Ｉ２２が流れ、コンデンサＣ２の充電電荷がダイオードＤ３を通して出力される。この過程でも昇圧が行われる。本実施形態では、これら電流Ｉ２１、Ｉ２２が流れる経路が第２の電流経路に相当する。
【００２１】
昇圧回路１は、上記のように昇圧動作を行うことで得られる出力電圧Ｖｏを負荷回路に供給する。このような昇圧動作を行うことにより、従来構成のチャージポンプ型昇圧回路では、電圧入力端子を介して供給されるコンデンサに対する充放電電流が第１の状態と第２の状態とで大きく変動してしまい、その結果、外部に放出されるノイズのレベルが増大していた。図２は、従来構成のチャージポンプ型昇圧回路を用いたシミュレーション結果であり、各部の電流波形を示している。図２において、（ａ）は電圧入力端子から供給される全電流を示し、（ｂ）は電流Ｉ１１と電流Ｉ２１とを示し、（ｃ）は電流Ｉ１１と電流Ｉ２２とを示している。
【００２２】
図２（ｂ）、（ｃ）に示すように、従来の構成では、電流Ｉ１１のピーク値が約３０ｍＡであり、電流Ｉ２１のピーク値が約１７ｍＡであり、電流Ｉ２２のピーク値が約２５ｍＡである。従って、電圧入力端子から供給されるコンデンサに対する充放電電流のピーク値は、図２（ａ）に示すように、第１の状態で約３０ｍＡであるのに対し第２の状態では約４２ｍＡとなっており、状態毎で大きく変動している。このような状態毎のピーク値の変動は、外部に放出されるノイズの増大を招く要因となる。
【００２３】
そこで、本実施形態の昇圧回路１は、以下に示すように、入力端子２から供給される全電流のピーク値が第１の状態と第２の状態とで揃うように構成した。すなわち、第１の状態で流れる電流Ｉ１１のピーク値は、スイッチ回路Ｓ１、Ｓ４のオン状態における抵抗（インピーダンス）がいずれもｒであるとし、ダイオードＤ１〜Ｄ３の順方向電圧をＶＦとすれば、下記（１）式で表される。
Ｉ１１＝（ＶＢ−ＶＦ）／（２・ｒ）      …（１）
【００２４】
また、第２の状態で流れる電流Ｉ２１、Ｉ２２のピーク値は、スイッチ回路Ｓ２、Ｓ３のオン状態における抵抗がいずれもＲであるとすれば、下記（２）、（３）式で表される。なお、電流Ｉ２２は出力電圧Ｖｏが小さいほど大きくなるため、ここでは出力電圧Ｖｏが０Ｖであるとしている。
Ｉ２１＝（ＶＢ−ＶＦ）／Ｒ            …（２）
Ｉ２２＝（ＶＢ−ＶＦ）／Ｒ            …（３）
【００２５】
第１の状態および第２の状態における入力端子２から供給される全電流Ｉ１およびＩ２のピーク値は、下記（４）、（５）式のように表される。
Ｉ１＝Ｉ１１                  …（４）
Ｉ２＝Ｉ２１＋Ｉ２２            …（５）
【００２６】
全電流Ｉ１、Ｉ２のピーク値を揃えるための条件は、（１）〜（５）式から導き出される下記（６）式のように表される。
４・ｒ＝Ｒ            …（６）
【００２７】
この（６）式に示すように、スイッチ回路Ｓ１、Ｓ４のオン状態の抵抗ｒと、スイッチ回路Ｓ２、Ｓ３のオン状態の抵抗Ｒとの比を１：４とすれば、第１の状態と第２の状態とで入力端子２から供給される全電流のピーク値が揃うことになる。図３は、スイッチ回路Ｓ１〜Ｓ４のオン状態の抵抗を上記（６）式の条件を満たす値とした昇圧回路１を用いた場合のシミュレーション結果を示す図２相当図である。なお、図３に示す波形を観測する際、出力端子４、５間には平滑用のコンデンサと約４ｋΩの負荷を接続している。
【００２８】
図３（ｂ）、（ｃ）に示すように、本実施形態の昇圧回路１では、電流Ｉ１１のピーク値が約３０ｍＡであり、電流Ｉ２１のピーク値が約１５ｍＡであり、電流Ｉ２２のピーク値が約１５ｍＡである。従って、入力端子から供給されるコンデンサに対する充放電電流のピーク値は、図３（ａ）に示すように、第１の状態と第２の状態とにおいていずれも約３０ｍＡとなる。つまり、状態毎のピーク値の変動がほとんど無くなっている。
【００２９】
このような結果、本実施形態の昇圧回路１によれば、入力電源ラインにフィルタを挿入することなく、外部に放出されるノイズが低減される。ただし、本実施形態の昇圧回路１に対し、入力電源ラインにフィルタを挿入すれば、さらにノイズが低減されることは勿論である。また、昇圧回路１では、充放電電流のピーク値を揃えるだけであり、その大きさを制限する構成ではないので、必要とする昇圧能力の大きさに関わらずノイズの低減を図ることができる。
【００３０】
（第２の実施形態）
以下、本発明の第２の実施形態について図４を参照しながら説明する。図４は、昇圧回路の電気構成を概略的に示す図１（ａ）相当図である。なお、第１の実施形態と同一部分には同一符号を付して説明を省略する。昇圧回路２１（チャージポンプ型昇圧回路に相当）は、第１の実施形態の昇圧回路１に対し、電流源２２〜２４を備えている点が異なる。
【００３１】
電流源２２、２４は、それぞれスイッチ回路Ｓ２、Ｓ４とグランド線８との間に接続されている。電流源２３は、電源線７とスイッチ回路Ｓ３との間に接続されている。電流源２２〜２３が流す電流のピーク値は、入力端子２から供給される全電流のピーク値が第１の状態と第２の状態とで揃うように調整されている。このような構成の昇圧回路２１によっても、昇圧回路１と同様の作用および効果が得られる。
【００３２】
（第３の実施形態）
以下、本発明の第３の実施形態について図５を参照しながら説明する。図５は、昇圧回路の電気構成を概略的に示す図１（ａ）相当図である。なお、第１の実施形態と同一部分には同一符号を付して説明を省略する。昇圧回路３１（チャージポンプ型昇圧回路に相当）は、第１の実施形態の昇圧回路１に対し、スイッチ回路Ｓ１〜Ｓ４に替えてＮＰＮ形のトランジスタＴ１〜Ｔ４（第１〜第４のスイッチ手段に相当）および抵抗Ｒ１〜Ｒ４（第１〜第４の抵抗に相当）を備えている点が異なる。
【００３３】
電源線７とノードＮｃとの間にはトランジスタＴ１と抵抗Ｒ１がこの順に直列接続され、ノードＮｃとグランド線８との間にはトランジスタＴ２と抵抗Ｒ２がこの順に直列接続されている。電源線７とノードＮｄとの間にはトランジスタＴ３と抵抗Ｒ３がこの順に直列接続され、ノードＮｄとグランド線８との間にはトランジスタＴ４と抵抗Ｒ４がこの順に直列接続されている。トランジスタＴ１およびＴ４とＴ２およびＴ３は、スイッチ回路Ｓ１およびＳ４とＳ２およびＳ３と同様、パルス信号Ｓａ、／Ｓａに従って相補的に動作する。
【００３４】
なお、この構成では、各トランジスタＴ１〜Ｔ４は、エミッタ側に抵抗Ｒ１〜Ｒ４が接続されており、負帰還がかかる構成になっている。従って、各トランジスタＴ１〜Ｔ４のベースに与えるパルス信号Ｓａ、／Ｓａの電圧値は、各トランジスタＴ１〜Ｔ４に必要な電流を流すことが可能な電圧値とする。
【００３５】
上記構成では、トランジスタＴ１〜Ｔ４のオン状態におけるインピーダンスがほとんど無視できると仮定した場合、第１の状態での入力端子２から供給される全電流のピーク値は抵抗Ｒ１およびＲ４の抵抗値で設定できる。また、第２の状態での全電流のピーク値は抵抗Ｒ２およびＲ３の抵抗値で設定できる。従って、抵抗Ｒ１およびＲ４の抵抗値をｒとし、抵抗Ｒ２およびＲ３の抵抗値をＲとし、各抵抗値ｒ、Ｒを上記した（６）式の関係を満たすように設定すれば、本実施形態の昇圧回路３１によっても第１の実施形態と同様の作用および効果が得られる。
【００３６】
また、電流の大きさを調整するための回路、例えば電流源や電流制限回路を設ける必要がないため、回路構成を簡単化できる。さらに、各抵抗の抵抗値で状態毎の電流経路のインピーダンス値を設定することになるため、その設定の自由度が高くなる。また、各抵抗を抵抗値の精度が高い素子、例えば拡散抵抗などで形成すれば、状態毎の電流経路のインピーダンス値を精度よく設定できる。
【００３７】
（第４の実施形態）
以下、本発明の第４の実施形態について図６を参照しながら説明する。図６は、昇圧回路の電気構成を概略的に示す図１（ａ）相当図である。なお、上記各実施形態と同一部分には同一符号を付して説明を省略する。昇圧回路４１（チャージポンプ型昇圧回路に相当）は、第３の実施形態の昇圧回路３１に対し、抵抗Ｒ２およびＲ４の接続位置が異なっている。すなわち、抵抗Ｒ２およびＲ４は、トランジスタＴ２およびＴ４のコレクタ側に接続されている。このような構成の昇圧回路４１によっても、第３の実施形態と同様の作用および効果が得られる。
【００３８】
（第５の実施形態）
以下、本発明の第５の実施形態について図７を参照しながら説明する。図７は、昇圧回路の電気構成を概略的に示す図１（ａ）相当図である。なお、上記各実施形態と同一部分には同一符号を付して説明を省略する。昇圧回路５１（チャージポンプ型昇圧回路に相当）は、第４の実施形態の昇圧回路４１に対し、抵抗Ｒ３の接続位置が異なっている。すなわち、抵抗Ｒ３は、トランジスタＴ３のコレクタ側に接続されている。このような構成の昇圧回路５１によっても、第３の実施形態と同様の作用および効果が得られる。
【００３９】
（第６の実施形態）
以下、本発明の第６の実施形態について図８を参照しながら説明する。図８は、昇圧回路の電気構成を概略的に示す図１（ａ）相当図である。なお、上記各実施形態と同一部分には同一符号を付して説明を省略する。昇圧回路６１（チャージポンプ型昇圧回路に相当）は、第３の実施形態の昇圧回路３１に対し、ＮＰＮ形のトランジスタＴ５〜Ｔ７を備えている点が異なる。
【００４０】
トランジスタＴ５〜Ｔ７のベース・エミッタ間はそれぞれ抵抗Ｒ２〜Ｒ４の端子間に接続され、そのコレクタはそれぞれトランジスタＴ２〜Ｔ４のベースに接続されている。すなわち、トランジスタＴ５〜Ｔ７は、トランジスタＴ２〜Ｔ４のエミッタ電流を所定の値に制限する電流制限用のトランジスタである。
【００４１】
上記構成では、第１の状態での入力端子２から供給される全電流のピーク値はトランジスタＴ７による電流の制限値により設定できる。また、第２の状態での全電流のピーク値はトランジスタＴ５およびＴ６による電流の制限値により設定できる。従って、状態毎の全電流のピーク値が揃うように、各トランジスタＴ５〜Ｔ７の電流制限値を設定すれば、本実施形態の昇圧回路６１によっても、第１の実施形態と同様の作用および効果が得られる。
【００４２】
（第７の実施形態）
以下、本発明の第７の実施形態について図９を参照しながら説明する。図９は、昇圧回路の電気構成を概略的に示す図１（ａ）相当図である。なお、上記各実施形態と同一部分には同一符号を付して説明を省略する。昇圧回路７１（チャージポンプ型昇圧回路に相当）は、第６の実施形態の昇圧回路６１に対し、ダイオードＤ７４を備えている点が異なる。ダイオードＤ７４は、トランジスタＴ７のエミッタとグランド線８との間にグランド線８側をカソードにして接続されている。このような構成の昇圧回路７１によっても、第１の実施形態と同様の作用および効果が得られる。また、抵抗Ｒ１〜Ｒ４の抵抗値を等しく設定した場合、トランジスタＴ４に流す電流の制限値を他のトランジスタに流す電流の制限値と比べて大きく設定できる。
【００４３】
（第８の実施形態）
以下、本発明の第８の実施形態について図１０を参照しながら説明する。図１０は、昇圧回路の電気構成を概略的に示す図１（ａ）相当図である。なお、上記各実施形態と同一部分には同一符号を付して説明を省略する。昇圧回路８１（チャージポンプ型昇圧回路に相当）は、第３の実施形態の昇圧回路３１に対し、トランジスタＴ２〜Ｔ４および抵抗Ｒ２〜Ｒ４に替えて、Ｎチャネル型のＭＯＳトランジスタＭ２〜Ｍ４（第２〜第４のスイッチ手段に相当）を備えている点が異なる。
【００４４】
上記構成では、トランジスタＴ１のオン状態におけるインピーダンスと抵抗Ｒ１の抵抗値がほとんど無視できると仮定した場合、第１の状態での入力端子２から供給される全電流のピーク値はトランジスタＭ４のオン抵抗により設定できる。また、第２の状態での全電流のピーク値はトランジスタＭ２およびＭ３のオン抵抗により設定できる。従って、状態毎の全電流のピーク値が揃うように、各トランジスタＭ２〜Ｍ４のオン抵抗を設定すれば、本実施形態の昇圧回路８１によっても第１の実施形態と同様の作用および効果が得られる。また、電流の大きさを調整するための回路、例えば電流源や電流制限回路を設ける必要がないため、回路構成を簡単化できる。
【００４５】
（第９の実施形態）
以下、本発明の第９の実施形態について図１１を参照しながら説明する。図１１は、昇圧回路の電気構成を概略的に示す図１（ａ）相当図である。なお、上記各実施形態と同一部分には同一符号を付して説明を省略する。昇圧回路９１（チャージポンプ型昇圧回路に相当）は、第３の実施形態の昇圧回路３１に対し、抵抗Ｒ１〜Ｒ４が省略されている点と、可変抵抗回路９２、９３を備えている点が異なる。
【００４６】
可変抵抗回路９２（第１の可変抵抗に相当）は、コンデンサＣ１の他端子とノードＮｃとの間に、抵抗Ｒ９１、Ｒ９２を互いに並列に接続する状態と、抵抗Ｒ９２のみを接続する状態とをアナログスイッチ９４のオンオフにより切り換える。アナログスイッチ９４は、第１の状態と第２の状態とでオンオフの状態が切り換えられる。この切り換えは、例えばパルス信号Ｓａ、／Ｓａに従って行うことが可能である。ただし、その場合、トランジスタＴ１〜Ｔ４のベースには、インターフェース回路を介してパルス信号Ｓａ、／Ｓａを入力する必要がある。
【００４７】
可変抵抗回路９３（第２の可変抵抗に相当）は、コンデンサＣ２の他端子とノードＮｄとの間に、抵抗Ｒ９３、Ｒ９４を互いに並列に接続する状態と、抵抗Ｒ９４のみを接続する状態とをアナログスイッチ９５のオンオフにより切り換える。アナログスイッチ９５は、アナログスイッチ９４と同様にオンオフが切り換えられる。このような構成により、第１の状態と第２の状態とで、コンデンサＣ１の他端子とノードＮｃとの間の抵抗値と、コンデンサＣ２の他端子とノードＮｄとの間の抵抗値とが変化する。
【００４８】
上記構成では、トランジスタＴ１〜Ｔ４のオン状態におけるインピーダンスがほとんど無視できると仮定した場合、第１の状態での入力端子２から供給される全電流のピーク値は可変抵抗回路９２、９３の第１の状態での抵抗値で設定できる。また、第２の状態での全電流のピーク値は可変抵抗回路９２、９３の第２の状態での抵抗値で設定できる。従って、状態毎の全電流のピーク値が揃うように、抵抗Ｒ９１〜Ｒ９４の抵抗値を設定すれば、本実施形態の昇圧回路９１によっても第３の実施形態と同様の作用および効果が得られる。
【００４９】
（第１０の実施形態）
以下、本発明の第１０の実施形態について図１２を参照しながら説明する。図１２は、昇圧回路の電気構成を概略的に示す図１（ａ）相当図である。なお、上記各実施形態と同一部分には同一符号を付して説明を省略する。昇圧回路１０１（チャージポンプ型昇圧回路に相当）は、第３の実施形態の昇圧回路３１に対し、抵抗Ｒ１〜Ｒ４が省略されている点と、抵抗Ｒ１０１〜Ｒ１０３を備えている点とが異なる。抵抗Ｒ１０１は、ダイオードＤ１のカソードとノードＮａとの間に接続されている。抵抗Ｒ１０２は、ダイオードＤ２のカソードとノードＮｂとの間に接続されている。抵抗Ｒ１０３は、ノードＮｂとダイオードＤ３のアノードとの間に接続されている。
【００５０】
上記構成では、第１の状態での入力端子２から供給される全電流のピーク値は、抵抗Ｒ１０２の抵抗値により設定できる。また、第２の状態における全電流のピーク値は、抵抗Ｒ１０１およびＲ１０３の抵抗値により設定できる。従って、状態毎の全電流のピーク値が揃うように、抵抗Ｒ１０１〜Ｒ１０３の抵抗値を設定すれば、本実施形態の昇圧回路１０１によっても第３の実施形態と同様の作用および効果が得られる。
【００５１】
（第１１の実施形態）
以下、本発明の第１１の実施形態について図１３を参照しながら説明する。図１３は、昇圧回路の電気構成を示す図１相当図である。なお、上記各実施形態と同一部分には同一符号を付して説明を省略する。第１の実施形態では、チャージポンプの段数は２段であった。本実施形態では、チャージポンプの段数を３段にした構成について説明する。昇圧回路１１１（チャージポンプ型昇圧回路に相当）は、２段構成の昇圧回路１に対し、ダイオードＤ２とダイオードＤ３との間に接続されたダイオードＤ４と、このダイオードＤ４とダイオードＤ３の相互接続点ＮｅとノードＮｃとの間に接続されたコンデンサＣ４とを追加した構成となっている。
【００５２】
このような３段構成のチャージポンプを用いた昇圧回路１１１は、第１の状態では、図１３（ａ）に示すような電流Ｉ１１、Ｉ１２が流れる。また、第２の状態では、図１３（ｂ）に示すような電流Ｉ２１、Ｉ２２が流れる。これら各電流のピーク値は、下記（７）〜（１０）式で表される。なお、本実施形態では、電流Ｉ１１、Ｉ１２が流れる経路が第１の電流経路に相当し、電流Ｉ２１、Ｉ２２が流れる経路が第２の電流経路に相当する。
Ｉ１１＝（ＶＢ−ＶＦ）／（２・ｒ）      …（７）
Ｉ１２＝（ＶＢ−ＶＦ）／ｒ              …（８）
Ｉ２１＝（ＶＢ−ＶＦ）／Ｒ              …（９）
Ｉ２２＝（ＶＢ−ＶＦ）／（２・Ｒ）      …（１０）
【００５３】
第１の状態および第２の状態における入力端子２から供給される全電流Ｉ１のピーク値およびＩ２のピーク値は、下記（１１）、（１２）式のように表される。
Ｉ１＝Ｉ１１＋Ｉ１２            …（１１）
Ｉ２＝Ｉ２１＋Ｉ２２            …（１２）
【００５４】
全電流Ｉ１、Ｉ２のピーク値を揃えるための条件は、（７）〜（１２）式から導き出される下記（１３）式のように表される。
ｒ＝Ｒ            …（１３）
【００５５】
この（１３）式に示すように、スイッチ回路Ｓ１、Ｓ４のオン状態の抵抗ｒと、スイッチ回路Ｓ２、Ｓ３のオン状態の抵抗Ｒとの比を１：１とすれば、第１の状態と第２の状態とで入力端子２から供給される全電流のピーク値が揃うことになる。従って、このように３段構成のチャージポンプを用いた昇圧回路１１１であっても、第１の実施形態と同様の作用および効果が得られる。
【００５６】
（第１２の実施形態）
以下、本発明の第１２の実施形態について図１４を参照しながら説明する。図１４は、昇圧回路の電気構成を示す図１相当図である。なお、上記各実施形態と同一部分には同一符号を付して説明を省略する。本実施形態では、チャージポンプの段数を４段にした構成について説明する。昇圧回路１２１（チャージポンプ型昇圧回路に相当）は、３段構成の昇圧回路１１１に対し、ダイオードＤ４とダイオードＤ３との間に接続されたダイオードＤ５と、このダイオードＤ５とダイオードＤ３の相互接続点ＮｆとノードＮｄとの間に接続されたコンデンサＣ５とを追加した構成となっている。
【００５７】
このような４段構成のチャージポンプを用いた昇圧回路１２１は、第１の状態では、図１４（ａ）に示すような電流Ｉ１１、Ｉ１２が流れる。また、第２の状態では、図１４（ｂ）に示すような電流Ｉ２１、Ｉ２２、Ｉ２３が流れる。これら各電流のピーク値は、下記（１４）〜（１８）式で表される。なお、本実施形態では、電流Ｉ１１、Ｉ１２が流れる経路が第１の電流経路に相当し、電流Ｉ２１、Ｉ２２、Ｉ２３が流れる経路が第２の電流経路に相当する。
Ｉ１１＝（ＶＢ−ＶＦ）／（２・ｒ）      …（１４）
Ｉ１２＝（ＶＢ−ＶＦ）／（２・ｒ）      …（１５）
Ｉ２１＝（ＶＢ−ＶＦ）／Ｒ              …（１６）
Ｉ２２＝（ＶＢ−ＶＦ）／（２・Ｒ）      …（１７）
Ｉ２３＝（ＶＢ−ＶＦ）／Ｒ              …（１８）
【００５８】
第１の状態および第２の状態における入力端子２から供給される全電流Ｉ１のピーク値およびＩ２のピーク値は、下記（１９）、（２０）式のように表される。
Ｉ１＝Ｉ１１＋Ｉ１２            …（１９）
Ｉ２＝Ｉ２１＋Ｉ２２＋Ｉ２３      …（２０）
【００５９】
全電流Ｉ１、Ｉ２のピーク値を揃えるための条件は、（１４）〜（２０）式から導き出される下記（２１）式のように表される。
（５／２）・ｒ＝Ｒ            …（２１）
【００６０】
この（２１）式に示すように、スイッチ回路Ｓ１、Ｓ４のオン状態の抵抗ｒと、スイッチ回路Ｓ２、Ｓ３のオン状態の抵抗Ｒとの比を１：（５／２）とすれば、第１の状態と第２の状態とで入力端子２から供給される全電流のピーク値が揃うことになる。従って、このように４段構成のチャージポンプを用いた昇圧回路１２１であっても、第１の実施形態と同様の作用および効果が得られる。
【００６１】
（第１３の実施形態）
以下、本発明の第１３の実施形態について図１５を参照しながら説明する。図１５は、昇圧回路の電気構成を示す図１相当図である。なお、上記各実施形態と同一部分には同一符号を付して説明を省略する。本実施形態では、チャージポンプの段数を５段にした構成について説明する。昇圧回路１３１（チャージポンプ型昇圧回路に相当）は、４段構成の昇圧回路１２１に対し、ダイオードＤ５とダイオードＤ３との間に接続されたダイオードＤ６と、このダイオードＤ６とダイオードＤ３の相互接続点ＮｇとノードＮｃとの間に接続されたコンデンサＣ６とを追加した構成となっている。
【００６２】
このような５段構成のチャージポンプを用いた昇圧回路１３１は、第１の状態では、図１５（ａ）に示すような電流Ｉ１１、Ｉ１２、Ｉ１３が流れる。また、第２の状態では、図１５（ｂ）に示すような電流Ｉ２１、Ｉ２２、Ｉ２３が流れる。これら各電流のピーク値は、下記（２２）〜（２７）式で表される。なお、本実施形態では、電流Ｉ１１、Ｉ１２、Ｉ１３が流れる経路が第１の電流経路に相当し、電流Ｉ２１、Ｉ２２、Ｉ２３が流れる経路が第２の電流経路に相当する。
Ｉ１１＝（ＶＢ−ＶＦ）／（２・ｒ）      …（２２）
Ｉ１２＝（ＶＢ−ＶＦ）／（２・ｒ）      …（２３）
Ｉ１３＝（ＶＢ−ＶＦ）／ｒ              …（２４）
Ｉ２１＝（ＶＢ−ＶＦ）／Ｒ              …（２５）
Ｉ２２＝（ＶＢ−ＶＦ）／（２・Ｒ）      …（２６）
Ｉ２３＝（ＶＢ−ＶＦ）／（２・Ｒ）      …（２７）
【００６３】
第１の状態および第２の状態における入力端子２から供給される全電流Ｉ１のピーク値およびＩ２のピーク値は、下記（２８）、（２９）式のように表される。
Ｉ１＝Ｉ１１＋Ｉ１２＋Ｉ１３            …（２８）
Ｉ２＝Ｉ２１＋Ｉ２２＋Ｉ２３            …（２９）
【００６４】
全電流Ｉ１、Ｉ２のピーク値を揃えるための条件は、（２２）〜（２９）式から導き出される下記（３０）式のように表される。
ｒ＝Ｒ            …（３０）
【００６５】
この（３０）式に示すように、スイッチ回路Ｓ１、Ｓ４のオン状態の抵抗ｒと、スイッチ回路Ｓ２、Ｓ３のオン状態の抵抗Ｒとの比を１：１とすれば、第１の状態と第２の状態とで入力端子２から供給される全電流のピーク値が揃うことになる。従って、このように５段構成のチャージポンプを用いた昇圧回路１３１であっても、第１の実施形態と同様の作用および効果が得られる。
【００６６】
（第１４の実施形態）
以下、本発明の第１４の実施形態について図１６を参照しながら説明する。図１６は、昇圧回路の電気構成を示す図１相当図である。なお、上記各実施形態と同一部分には同一符号を付して説明を省略する。本実施形態では、チャージポンプの段数を６段にした構成について説明する。昇圧回路１４１（チャージポンプ型昇圧回路に相当）は、５段構成の昇圧回路１３１に対し、ダイオードＤ６とダイオードＤ３との間に接続されたダイオードＤ７と、このダイオードＤ７とダイオードＤ３の相互接続点ＮｈとノードＮｄとの間に接続されたコンデンサＣ７とを追加した構成となっている。
【００６７】
このような６段構成のチャージポンプを用いた昇圧回路１４１は、第１の状態では、図１６（ａ）に示すような電流Ｉ１１、Ｉ１２、Ｉ１３が流れる。また、第２の状態では、図１６（ｂ）に示すような電流Ｉ２１、Ｉ２２、Ｉ２３、Ｉ２４が流れる。これら各電流のピーク値は、下記（３１）〜（３７）式で表される。なお、本実施形態では、電流Ｉ１１、Ｉ１２、Ｉ１３が流れる経路が第１の電流経路に相当し、電流Ｉ２１、Ｉ２２、Ｉ２３、Ｉ２４が流れる経路が第２の電流経路に相当する。
Ｉ１１＝（ＶＢ−ＶＦ）／（２・ｒ）      …（３１）
Ｉ１２＝（ＶＢ−ＶＦ）／（２・ｒ）      …（３２）
Ｉ１３＝（ＶＢ−ＶＦ）／（２・ｒ）      …（３３）
Ｉ２１＝（ＶＢ−ＶＦ）／Ｒ              …（３４）
Ｉ２２＝（ＶＢ−ＶＦ）／（２・Ｒ）      …（３５）
Ｉ２３＝（ＶＢ−ＶＦ）／（２・Ｒ）      …（３６）
Ｉ２４＝（ＶＢ−ＶＦ）／Ｒ              …（３７）
【００６８】
第１の状態および第２の状態における入力端子２から供給される全電流Ｉ１のピーク値およびＩ２のピーク値は、下記（３８）、（３９）式のように表される。
Ｉ１＝Ｉ１１＋Ｉ１２＋Ｉ１３            …（３８）
Ｉ２＝Ｉ２１＋Ｉ２２＋Ｉ２３＋Ｉ２４      …（３９）
【００６９】
全電流Ｉ１、Ｉ２のピーク値を揃えるための条件は、（３１）〜（３９）式から導き出される下記（４０）式のように表される。
２・ｒ＝Ｒ            …（４０）
【００７０】
この（４０）式に示すように、スイッチ回路Ｓ１、Ｓ４のオン状態の抵抗ｒと、スイッチ回路Ｓ２、Ｓ３のオン状態の抵抗Ｒとの比を１：２とすれば、第１の状態と第２の状態とで入力端子２から供給される全電流のピーク値が揃うことになる。従って、このように６段構成のチャージポンプを用いた昇圧回路１４１であっても、第１の実施形態と同様の作用および効果が得られる。
【００７１】
（第１５の実施形態）
以下、本発明の第１５の実施形態について図１７を参照しながら説明する。図１７は、昇圧回路の電気構成を概略的に示す図１相当図である。なお、上記各実施形態と同一部分には同一符号を付して説明を省略する。昇圧回路１５１（チャージポンプ型昇圧回路に相当）は、第１の実施形態の昇圧回路１に対し、ダイオードＤ１〜Ｄ３に替えてＭＯＳトランジスタＭ１０１〜Ｍ１０３（スイッチング素子に相当）を備えている点が異なる。
【００７２】
第１の状態では、ＭＯＳトランジスタＭ１０１、Ｍ１０３がオフされ、ＭＯＳトランジスタ１０２がオンされる。第２の状態では、ＭＯＳトランジスタＭ１０１、Ｍ１０３がオンされ、ＭＯＳトランジスタＭ１０２がオフされる。このようなＭＯＳトランジスタＭ１０１〜Ｍ１０３のオンオフは、パルス信号Ｓａ、／Ｓａに従って行うことが可能である。
【００７３】
このような構成の昇圧回路１５１は、第１の状態では、図１７（ａ）に示すような電流Ｉ１１が流れる。また、第２の状態では、図１７（ｂ）に示すような電流Ｉ２１、Ｉ２２が流れる。これら各電流のピーク値は、ＭＯＳトランジスタＭ１０１〜Ｍ１０３のオン抵抗がいずれもＶonであるとすれば、下記（４１）〜（４３）式で表される。
Ｉ１１＝（ＶＢ−Ｖon）／（２・ｒ）      …（４１）
Ｉ２１＝（ＶＢ−Ｖon）／Ｒ            …（４２）
Ｉ２２＝（ＶＢ−Ｖon）／Ｒ            …（４３）
【００７４】
第１の状態および第２の状態における入力端子２から供給される全電流Ｉ１およびＩ２のピーク値は、下記（４４）、（４５）式のように表される。
Ｉ１＝Ｉ１１                  …（４４）
Ｉ２＝Ｉ２１＋Ｉ２２            …（４５）
【００７５】
全電流Ｉ１、Ｉ２のピーク値を揃えるための条件は、（４１）〜（４５）式から導き出される下記（４６）式のように表される。
４・ｒ＝Ｒ            …（４６）
【００７６】
この（４６）式に示すように、スイッチ回路Ｓ１、Ｓ４のオン状態の抵抗ｒと、スイッチ回路Ｓ２、Ｓ３のオン状態の抵抗Ｒとの比を、第１の実施形態と同じ１：４とすれば、第１の状態と第２の状態とで入力端子２から供給される全電流のピーク値が揃うことになる。従って、スイッチング素子としてダイオードに替えてＭＯＳトランジスタを用いた本実施形態の昇圧回路１５１であっても、第１の実施形態と同様の作用および効果が得られる。
【００７７】
（その他の実施形態）
なお、本発明は上記し且つ図面に記載した各実施形態に限定されるものではなく、次のような変形または拡張が可能である。
本発明は、チャージポンプの段数に関係なく適用することが可能である。従って、例えば７段、８段のチャージポンプを用いた昇圧回路であっても状態毎の全電流のピーク値を揃えることができる。これら７段、８段の場合の全電流Ｉ１、Ｉ２のピーク値を揃えるための条件は、それぞれ下記（４７）、（４８）式のように表される。
ｒ＝Ｒ                  …（４７）
（７／４）・ｒ＝Ｒ      …（４８）
また、チャージポンプの段数をＮとし、このＮが奇数である場合には、スイッチ回路Ｓ１およびＳ４のオン状態の抵抗ｒと、スイッチ回路Ｓ２およびＳ３のオン状態の抵抗Ｒとをｒ＝Ｒとなるように設定することにより、状態毎の全電流のピーク値を揃えることができる。
トランジスタＴ１〜Ｔ４はＰＮＰ形でもよい。ＭＯＳトランジスタＭ２〜Ｍ４はＰチャネル型でもよい。各コンデンサの他端子に与える第１の電圧と第２の電圧は、バッテリ電圧ＶＢ とグランド電圧ＧＮＤに限られない。本発明のチャージポンプ型昇圧回路は、車載電子制御装置に限らず、昇圧電圧を必要とする他の装置にも適用可能である。
【図面の簡単な説明】
【００７８】
【図１】本発明の第１の実施形態を示すチャージポンプ型昇圧回路の電気構成図であり、（ａ）は第１の状態、（ｂ）は第２の状態を示す図
【図２】従来のチャージポンプ型昇圧回路における各部電流の波形図
【図３】第１の実施形態のチャージポンプ型昇圧回路における各部電流の波形図
【図４】本発明の第２の実施形態を示す図１（ａ）相当図
【図５】本発明の第３の実施形態を示す図１（ａ）相当図
【図６】本発明の第４の実施形態を示す図１（ａ）相当図
【図７】本発明の第５の実施形態を示す図１（ａ）相当図
【図８】本発明の第６の実施形態を示す図１（ａ）相当図
【図９】本発明の第７の実施形態を示す図１（ａ）相当図
【図１０】本発明の第８の実施形態を示す図１（ａ）相当図
【図１１】本発明の第９の実施形態を示す図１（ａ）相当図
【図１２】本発明の第１０の実施形態を示す図１（ａ）相当図
【図１３】本発明の第１１の実施形態を示す図１相当図
【図１４】本発明の第１２の実施形態を示す図１相当図
【図１５】本発明の第１３の実施形態を示す図１相当図
【図１６】本発明の第１４の実施形態を示す図１相当図
【図１７】本発明の第１５の実施形態を示す図１相当図
【符号の説明】
【００７９】
図面中、１、２１、３１、４１、５１、６１、７１、８１、９１、１０１、１１１、１２１、１３１、１４１、１５１は昇圧回路（チャージポンプ型昇圧回路）、２は入力端子（電圧入力端子）、４は出力端子（電圧出力端子）、６は駆動回路、７は電源線（第１の電源線）、８はグランド線（第２の電源線）、９４、９５は可変抵抗回路（第１、第２の可変抵抗）、Ｃ１、Ｃ２、Ｃ４〜Ｃ７はコンデンサ、Ｄ１〜Ｄ７はダイオード（スイッチング素子）、Ｍ２〜Ｍ４はＭＯＳトランジスタ（第２〜第４のスイッチ手段）、Ｍ１０１〜Ｍ１０３はＭＯＳトランジスタ（スイッチング素子）、Ｒ１〜Ｒ４は抵抗（第１〜第４の抵抗）、Ｒ１０１〜Ｒ１０３は抵抗、Ｓ１〜Ｓ４はスイッチ回路（第１〜第４のスイッチ手段）、Ｔ１〜Ｔ４はトランジスタ（第１〜第４のスイッチ手段）を示す。
【図１】
2010130718.tif 000003
【図２】
2010130718.tif 000004
【図３】
2010130718.tif 000005
【図４】
2010130718.tif 000006
【図５】
2010130718.tif 000007
【図６】
2010130718.tif 000008
【図７】
2010130718.tif 000009
【図８】
2010130718.tif 000010
【図９】
2010130718.tif 000011
【図１０】
2010130718.tif 000012
【図１１】
2010130718.tif 000013
【図１２】
2010130718.tif 000014
【図１３】
2010130718.tif 000015
【図１４】
2010130718.tif 000016
【図１５】
2010130718.tif 000017
【図１６】
2010130718.tif 000018
【図１７】
2010130718.tif 000019